(57)【要約】【課題】  収穫物に傷が付かない掘取作業ができる掘取機を提供する。【解決手段】  掘取機１は、掘取刃５の後方に搬送コンベア３０を備え、搬送コンベア３０の後方に左右スライド可能及び正逆転可能な横搬送コンベア４０を設ける。搬送コンベア３０は駆動軸１０から従動軸１１への動力伝達により回転し、搬送コンベア３０の回転速度を無断階に変速可能な変速手段９０を設ける。【選択図】図１
2006325475.tif 000002
【特許請求の範囲】
【請求項１】
掘取刃の後方に搬送コンベアを設け、搬送コンベアの後方に左右スライド可能及び正逆転可能な横搬送コンベアを設けた掘取機において、前記搬送コンベアは駆動軸から従動軸への動力伝達により回転し、この搬送コンベアの回転速度を無断階に変速可能な変速手段を設けたことを特徴とする掘取機。
【請求項２】
変速手段は、駆動軸と従動軸との間に設けた可変プーリーにそれぞれベルトが掛け渡され、この可変プーリーの位置を変えることにより搬送コンベアの回転速度を無断階に変速可能にしたことを特徴とする請求項１記載の掘取機。
【発明の詳細な説明】
【技術分野】
【０００１】
本発明は、馬鈴薯や玉葱等の掘取りを行う掘取機に関する。
【背景技術】
【０００２】
従来の掘取機は、例えば搬送コンベアの後方に横搬送コンベアを配置して、掘取り、搬送後の収穫物を搬送コンベアの直後や横搬送コンベアの左右に落下配置する技術は知られている。
【特許文献１】実公昭５４−２９２４０号公報
【発明の開示】
【発明が解決しようとする課題】
【０００３】
しかしながら、上記従来の掘取機では、搬送速度が一定のために、収穫物の品種や掘取時期あるいは土の乾き具合によって搬送時の収穫物に傷がつくおそれがある。
【０００４】
本発明は収穫物に傷が付かない掘取作業ができる掘取機を提供することを目的とする。
【課題を解決するための手段】
【０００５】
請求項１記載の掘取機は、掘取刃の後方に搬送コンベアを設け、搬送コンベアの後方に左右スライド可能及び正逆転可能な横搬送コンベアを設けた掘取機において、前記搬送コンベアは駆動軸から従動軸への動力伝達により回転し、この搬送コンベアの回転速度を無断階に変速可能な変速手段を設けたものである。
【０００６】
そして、この構成では、変速手段を設けたことにより搬送コンベアの回転速度を変速することにより、掘取条件に合った搬送速度で掘取作業ができるので、収穫物に傷が付かず効率の良い掘取作業ができる。
【０００７】
請求項２記載の掘取機は、請求項1記載の掘取機において、変速手段は、駆動軸と従動軸との間に設けた可変プーリーにそれぞれベルトが掛け渡され、この可変プーリーの位置を変えることにより搬送コンベアの回転速度を無断階に変速可能にしたものである。
【０００８】
そして、この構成では、可変プーリーの位置を任意の位置に変えることにより、搬送コンベアの回転速度を無断階に変速でき、掘取条件に合った搬送速度で安定した掘取作業ができる。
【発明の効果】
【０００９】
請求項１記載の発明によれば、変速手段を設けたことにより搬送コンベアの回転速度を変速することにより、掘取条件に合った搬送速度で掘取作業ができるので、収穫物に傷が付かず効率の良い掘取作業ができる。
【００１０】
請求項２記載の発明によれば、可変プーリーの位置を任意の位置に変えることにより、搬送コンベアの回転速度を無断階に変速でき、掘取条件に合った搬送速度で安定した掘取作業ができる。
【発明を実施するための最良の形態】
【００１１】
本発明の掘取機の一実施の形態を図面を参照して説明する。
【００１２】
図１から図２において、１は掘取機で、この掘取機１は、走行車である牽引車としてのトラクタ（図示せず）に着脱可能に装着して使用する牽引式のもので、トラクタの牽引動作により圃場を進行方向Ｘに移動しながら玉葱等を掘り取る掘取機である。
【００１３】
そして、掘取機１は、本体を構成する本体フレーム２とトラクタ連結部としての三点連結部３を備えている。また、トラクタのＰＴＯ軸よりジョイントを介して動力を伝達される入力軸７が、ケース４より前方に突出されている。
【００１４】
さらに、ケース４の前方には、掘取刃５が掘取刃枠６に取り付けられている。また、ケース４の左側にはケース４内部のギアと噛合った駆動軸１０が突出し、この駆動軸１０にはプーリー２０が組み付けられており、さらに、この駆動軸１０の斜め後方部に従動軸１１が設けられ、この従動軸１１にプーリー２１が組み付けられている。また、駆動軸１０と従動軸１１の中間位置には中間軸１２が設けられており、この中間軸１２に可変プーリー２２が組み付けられている。
【００１５】
そして、可変プーリー２２にはプーリー２１とプーリー２２からそれぞれベルト２４とベルト２５が掛け渡されており、このベルト２４，２５により動力が伝達される。さらに、可変プーリー２２の位置を任意位置に変えることができる位置変更手段８０が設けられている。また、各プーリー及びベルトは伝動ケース１４で覆われている。そして、伝動ケース１４の中間軸１２が組み付けられている部分には長孔が設けられている。
【００１６】
また、従動軸１１にはバーコンベアである搬送コンベア３０の後部が巻き掛けられており、そして、従動軸１１の前方下方部には軸１３が設けられ、この軸１３に搬送コンベア３０の前部が巻き掛けられており、本体フレーム２に組み付けられている。そして、搬送コンベア３０にて掘取刃５により掘り取られた収穫物を後方上方へ搬送している。
【００１７】
さらに、位置変更手段８０により可変プーリー２２の位置を変えることにより、搬送コンベア３０の回転速度を変速し、掘取条件に合った速度で搬送コンベア３０を回転させる。
【００１８】
この位置変更手段８０は、本体フレーム２にプレート８１を回動自在に設け、プレート８１の上方部には可変プーリー２２が組みつけられている。さらに、プレート８１の先端部にはメネジ部を有する取付杆８２が設けられ、この取付杆８２に螺合するオネジ部を有するハンドル８３が前方に突出している。
【００１９】
そして、ハンドル８３を操作することにより、可変プーリー２２の位置が支点２６を中心に円弧移動し、この可変プーリー２２とプーリー２１及びプーリー２２とに掛け渡されているベルト２４とベルト２５によるプーリー径が変化し、搬送コンベア３０の回転速度を変速させている。この位置変更手段８０を変速手段９０とし、無断階に変速可能になっている。
【００２０】
また、搬送コンベア３０の後方には、フラットコンベアである横搬送コンベア４０が設けられている。この横搬送コンベア４０は、操作ＢＯＸ（図示せず）を操作することにより、伝動モーター４３によって左右方向にスライドする。さらに、本体フレーム２に設けた油圧パッケージ５０は入力軸７に伝達された動力によって駆動し、レバー５１の操作によって、横搬送コンベア４０の回転を正逆回転させることができ、レバー５１を倒した方向に回転する。
【００２１】
さらに、横搬送コンベア４０は後方部の支点４１を回動中心として、後方上方へ回動可能となっており、後方上方に回動させた場合はガススプリング４２によりその姿勢が保持される。
【００２２】
次に、上記掘取機１を用いて掘取作業をする場合について説明する。
【００２３】
トラクタの作業連結部である三点ヒッチ部と掘取機１の三点連結部３とを連結させることでトラクタに掘取機１を装着する。
【００２４】
その後、トラクタの牽引動作により掘取機１を進行方向Ｘに移動させる。すると、掘取刃５により掘り取られた収穫物が搬送コンベア３０により後方へ搬送されて、横搬送コンベア４０に乗り移り、左右のどちらかに落下する。この際に、横搬送コンベア４０を左右方向にスライドさせたり、あるいは、回転を正逆回転させて、落下場所を後工程においてトラクタが踏む事が無いように側方に寄せたり、集荷し易い場所に落下させる。
【００２５】
さらに、搬送コンベア３０の後方に収穫物を落下させたいときには、横搬送コンベア４０の支点４１を回動中心にして、横搬送コンベア４０を後方上方へ回動させてガススプリング４２により姿勢を保持させると搬送コンベア３０の後方に空間ができ、搬送コンベア３０から収穫物が落花する。
【００２６】
また、掘取条件や品種によって収穫物に傷が付かないように搬送コンベア３０の回転速度を変える場合には、変速手段９０のハンドル８３を操作して可変プーリー２２の位置を変えることにより、可変プーリー２２に掛け渡されているベルト２４とベルト２５のプーリー径が変わり、搬送コンベア３０の回転速度が掘取条件に合った速度に変速されて、収穫物に傷が付かないように搬送することができる。
【００２７】
さらに、収穫物が落花するときに傷が付かないように、横搬送コンベア４０の搬送速度を変速できるようにしても良い。
【図面の簡単な説明】
【００２８】
【図１】本発明の掘取機の一実施の形態を示す平面図である。
【図２】同上掘取機の側面図である。
【符号の説明】
【００２９】
１  掘取機
２  本体フレーム
３  三点連結部
５  掘取刃
１０  駆動軸
１１  従動軸
１２  中間軸
２２  可変プーリー
３０  搬送コンベア
４０  横搬送コンベア
８０  位置変更手段
８３  ハンドル
９０  変速手段
【図１】
2006325475.tif 000003
【図２】
2006325475.tif 000004